(57)【要約】      （修正有）【課題】保温効果及び断熱効果に優れると共に、使い心地の良い室内履き及び座布団を提供する。【解決手段】室内履きの底部および座布団を８層断熱構造体で構成する。８層断熱構造体は、人体が接触する側から順にマイクロファイバー層１１、不織布層１２、中綿層１３、発泡樹脂層１４、アルミニウム層１５、スポンジ層１６、ＥＶＡ樹脂製クッション層１７及び滑り止め層１８が積層されたものである。【選択図】図２
0003188200.tif 000002
【実用新案登録請求の範囲】
【請求項１】
着用者の足の裏が接地する底部と、
前記足の甲を覆う甲部と、
前記足の踵を覆う踵部と、を備えた室内履きであって、
前記底部は、８層断熱構造体からなり、
前記８層断熱構造体は、マイクロファイバー層、不織布層、中綿層、発泡樹脂層、アルミニウム層、スポンジ層、ＥＶＡ樹脂製クッション層及び滑り止め層が積層されていることを特徴とする８層断熱構造体を用いた室内履き。
【請求項２】
座布団であって、
前記座布団は、８層断熱構造体からなり、
前記８層断熱構造体は、マイクロファイバー層、不織布層、中綿層、発泡樹脂層、アルミニウム層、スポンジ層、ＥＶＡ樹脂製クッション層及び滑り止め層が積層されていることを特徴とする８層断熱構造体を用いた座布団。
【考案の詳細な説明】
【技術分野】
【０００１】
本考案は、８層断熱構造体を用いた室内履き及び座布団に関するものであって、特に、保温効果及び断熱効果に優れると共に、使い心地の良い室内履き及び座布団に関する。
【背景技術】
【０００２】
冬季などにおいては、電気や灯油ストーブなどの暖房器具を用いて、室内全体を暖める。しかし、温かい空気は上昇し、冷たい空気は下降するので、学習机や作業机に向かって椅子に座っていると、足元が非常に冷える。そのため、厚手の靴下などと共に、室内履きを着用することで、足元の保温効果及び断熱効果を高めている。
【０００３】
ところが、厚手の靴下であっても、繊維間に微細な孔があるので、この孔から冷気が侵入する。さらに、従来の室内履きにおいては、靴底が優れた断熱材で構成されていないので、床面から着用者の足裏に冷気が伝わることがある。また、靴底のクッション性が劣っており、履き心地が悪いことがあった。
【０００４】
また、炬燵などの暖房器具は、足元を暖めるには優れているが、常に炬燵机に向かっていなければならず、立ち歩くときには、足元を暖めることができない。また、足元を暖める電気ファンなども、炬燵と同様に、足元に設置されているので、立ち歩くときには、足元を暖めることができない。
【０００５】
また、従来の座布団においても、優れた断熱材で構成されていないので、椅子の座面又は床面から使用者に冷気が伝わることがあり、また、クッション性に劣ることがあり、座り心地が悪いことがあった。
【考案の概要】
【考案が解決しようとする課題】
【０００６】
そこで、本考案が解決しようとする課題は、上記した事情に鑑みて、保温効果及び断熱効果に優れると共に、使い心地の良い室内履き及び座布団を提供することにある。
【課題を解決するための手段】
【０００７】
上記課題を解決するために、本発明に係る室内履きは、
着用者の足の裏が接地する底部と、
足の甲を覆う甲部と、
足の踵を覆う踵部と、を備えた室内履きであって、
底部は、８層断熱構造体からなり、
８層断熱構造体は、マイクロファイバー層、不織布層、中綿層、発泡樹脂層、アルミニウム層、スポンジ層、ＥＶＡ樹脂製クッション層及び滑り止め層が積層されている。
【０００８】
さらに、本発明に係る座布団は、
座布団であって、
座布団は、８層断熱構造体からなり、
８層断熱構造体は、マイクロファイバー層、不織布層、中綿層、発泡樹脂層、アルミニウム層、スポンジ層、ＥＶＡ樹脂製クッション層及び滑り止め層が積層されている。
【考案の効果】
【０００９】
上記の通り、本考案に係る室内履きは、底部が、マイクロファイバー層、不織布層、中綿層、発泡樹脂層、アルミニウム層、スポンジ層、ＥＶＡ樹脂製クッション層及び滑り止め層が積層されている。また、本考案に係る座布団は、マイクロファイバー層、不織布層、中綿層、発泡樹脂層、アルミニウム層、スポンジ層、ＥＶＡ樹脂製クッション層及び滑り止め層が積層されている。
【００１０】
マイクロファイバー層は、保温性に優れ、肌触りが非常に良いので、使用者の体温を保つと共に、室内履きの場合は着用時に、座布団の場合は着座時などに、肌触りの良いものとなる。不織布層は、温かい空気を保持できるので、使用者の体温を保持できる。中綿層は、薄くて暖かい繊維となっており、軽量で、温かい空気を保持でき、使用者の体温を保持できる。発泡樹脂層は、断熱性に優れているので、外部からの冷気が伝わることがなく、さらに、使用者の体温が外部に漏れることがない。アルミニウム層は、遮熱性に優れているので、外部からの冷気が伝わることがなく、さらに、暖気が外部に伝わることがなく、内部の対流を防止して、着用者の体温が保たれるようになっている。スポンジ層は、室内履きの場合は歩行時に、座布団の場合は着座時などに、使用者の衝撃を吸収できるので、使い心地が良いものとなる。ＥＶＡ樹脂製クッション層も、室内履きの場合は歩行時に、座布団の場合は着座時などに、使用者の衝撃を吸収できるので、使い心地が良いものとなる。滑り止め層は、摩擦係数が大きいので、室内履きの場合は歩行時に、座布団の場合は着座時などに、滑り難く、安全性の高いものとなる。
【００１１】
上記の通り、本発明に係る室内履き及び座布団は、断熱性、遮熱性、保温性、肌触り性、弾力性、安全性などに優れた８層の断熱構造体からなっており、保温効果及び断熱効果に優れると共に、使い心地にも優れたものとなっている。
【図面の簡単な説明】
【００１２】
【図１】本考案に係る室内履きを示す外観図である。
【図２】室内履きを示す断面図である。
【図３】本考案に係る座布団であり、（Ａ）は外観図、（Ｂ）は断面図である。
【考案を実施するための形態】
【００１３】
以下、図面に基づいて、本考案に係る８層断熱構造体を用いた室内履き及び座布団について説明する。
【００１４】
[室内履き]
図１の通り、本考案に係る室内履き３０は、着用者の足の裏が接地する底部１と、着用者の足の甲を覆う甲部２と、着用者の足の踵を覆う踵部３と、着用者の足のくるぶし周辺を覆う胴筒部４と、を備える。胴筒部４は、甲部２及び踵部３に連続している。従って、本実施形態では、室内履き３０は、ブーツ状に構成されている。なお、室内履き３０は、胴筒部４を備えていなくても良い。
【００１５】
室内履き３０は、胴筒部４の前側に、上下方向に所定範囲に延設されたファスナー部５を備える。ファスナー部５を開くことで、胴筒部４の前側が開き、その結果、着用者が着脱し易いようになっている。
【００１６】
図２の通り、室内履き３０は、底部１が８層断熱構造体からなり、８層断熱構造体は、内側から外側に向けて、マイクロファイバー層１１、不織布層１２、中綿層１３、発泡樹脂層１４、アルミニウム層１５、スポンジ層１６、ＥＶＡ樹脂製クッション層１７及び滑り止め層１８が積層されたものである。
【００１７】
室内履き３０の着用者の足２０が接触する底部１の最も内側が、マイクロファイバー層１１（第１層目）からなっている。マイクロファイバー層１１は、保温性に優れ、肌触りが非常に良いので、使用者の体温を保つと共に、室内履きの場合は着用時に、履き心地の良いものとなる。
【００１８】
さらに、底部１は、マイクロファイバー層１１の隣が、不織布層１２（第２層目）からなっている。不織布層１２は、例えば、天然又は合成繊維で構成される。不織布層１２は、温かい空気を保持できるので、使用者の体温を保持できる。
【００１９】
さらに、底部１は、不織布層１２の隣が、中綿層１３（第３層目）からなっている。中綿層１３は、例えば、３Ｍ社製の商品名「シンサレート（登録商標）」からなる薄くて暖かい繊維で構成された高機能中綿材からなる。中綿層１３は、薄くて暖かい繊維となっているので、軽量で、温かい空気を保持でき、使用者の体温を保持できる。
【００２０】
さらに、底部１は、中綿層１３の隣が、発泡樹脂層１４（第４層目）からなっている。発泡樹脂層１４は、断熱性に優れているので、外部からの冷気が伝わることがなく、さらに、使用者の体温が外部に漏れることがない。
【００２１】
さらに、底部１は、発泡樹脂層１４の隣が、アルミニウム層１５（第５層目）からなっている。アルミニウム層１５は、遮熱性に優れているので、外部からの冷気が伝わることがなく、さらに、暖気が外部に伝わることがなく、内部の対流を防止して、着用者の体温が保たれるようになっている。
【００２２】
さらに、底部１は、アルミニウム層１５の隣が、スポンジ層１６（第６層目）からなっている。スポンジ層１６は、例えば、ウレタンやポリエチレンで構成される。スポンジ層１６は、室内履きの場合は歩行時に、使用者の衝撃を吸収できるので、履き心地が良いものとなる。
【００２３】
さらに、底部１は、スポンジ層１６の隣が、ＥＶＡ樹脂製クッション層１７（第７層目）からなっている。ＥＶＡ樹脂製クッション層１７も、室内履きの場合は歩行時に、使用者の衝撃を吸収できるので、履き心地が良いものとなる。
【００２４】
さらに、底部１における床面に接地する側が、滑り止め層１０（第８層目）からなっており、ゴム材や樹脂材で構成される。滑り止め層１０は、摩擦係数が大きいので、着用者が歩行する際に、滑り難く、安全性の高いものとなっている。
【００２５】
上記の通り、底部１が、８層断熱構造体からなるので、断熱性、遮熱性、保温性、肌触り性、弾力性、安全性などに優れた８層の断熱構造体からなっており、保温効果及び断熱効果に優れると共に、使い心地にも優れたものとなっている。さらに、着用者の足２０は、甲部２及び踵部３に覆われるので、着用者の体温を十分に保持できる。
【００２６】
なお、甲部２、踵部３及び胴筒部４は、断熱性、保温性、遮熱性、肌触り性に優れた複数層の断熱構造体からなることが好ましい。甲部２、踵部３及び胴筒部４は、例えば、マイクロファイバー層、不織布層、中綿層、アルミニウム層の４層で構成されることが好ましい。
【００２７】
[座布団]
図３の通り、本考案に係る座布団３１は、８層断熱構造体からなり、８層断熱構造体は、使用者が着座する側から床面側に向けて、マイクロファイバー層１１、不織布層１２、中綿層１３、発泡樹脂層１４、アルミニウム層１５、スポンジ層１６、ＥＶＡ樹脂製クッション層１７及び滑り止め層１８が積層されたものである。
【００２８】
座布団３１は、着用者が着座する側が、マイクロファイバー層１１（第１層目）からなっている。マイクロファイバー層１１は、保温性に優れ、肌触りが非常に良いので、使用者の体温を保つと共に、座布団の場合は着座時に、使い心地の良いものとなる。
【００２９】
さらに、座布団３１は、マイクロファイバー層１１の隣が、不織布層１２（第２層目）からなっている。不織布層１２は、例えば、天然又は合成繊維で構成される。不織布層１２は、温かい空気を保持できるので、使用者の体温を保持できる。
【００３０】
さらに、座布団３１は、不織布層１２の隣が、中綿層１３（第３層目）からなっている。中綿層１３は、例えば、３Ｍ社製の商品名「シンサレート（登録商標）」からなる薄くて暖かい繊維で構成された高機能中綿材からなる。中綿層１３は、薄くて暖かい繊維となっているので、軽量で、温かい空気を保持でき、使用者の体温を保持できる。
【００３１】
さらに、座布団３１は、中綿層１３の隣が、発泡樹脂層１４（第４層目）からなっている。発泡樹脂層１４は、断熱性に優れているので、外部からの冷気が伝わることがなく、さらに、使用者の体温が外部に漏れることがない。
【００３２】
さらに、座布団３１は、発泡樹脂層１４の隣が、アルミニウム層１５（第５層目）からなっている。アルミニウム層１５は、遮熱性に優れているので、外部からの冷気が伝わることがなく、さらに、暖気が外部に伝わることがなく、内部の対流を防止して、使用者の体温が保たれるようになっている。
【００３３】
さらに、座布団３１は、アルミニウム層１５の隣が、スポンジ層１６（第６層目）からなっている。スポンジ層１６は、例えば、ウレタンやポリエチレンで構成される。スポンジ層１６は、座布団の場合は着座時に、使用者の衝撃を吸収できるので、使い心地が良いものとなる。
【００３４】
さらに、座布団３１は、スポンジ層１６の隣が、ＥＶＡ樹脂製クッション層１７（第７層目）からなっている。ＥＶＡ樹脂製クッション層１７も、座布団の場合は着座時に、使用者の衝撃を吸収できるので、使い心地が良いものとなる。
【００３５】
さらに、座布団３１における床面に接地する側が、滑り止め層１０（第８層目）からなっており、ゴム材や樹脂材で構成される。滑り止め層１０は、摩擦係数が大きいので、使用者が着座する際に、滑り難く、安全性の高いものとなっている。
【００３６】
上記の通り、座布団３１は、８層断熱構造体からなるので、断熱性、遮熱性、保温性、肌触り性、弾力性、安全性などに優れた８層の断熱構造体からなっており、保温効果及び断熱効果に優れると共に、使い心地にも優れたものとなっている。
【符号の説明】
【００３７】
３０  室内履き
３１  座布団
１  底部
２  甲部
３  踵部
４  胴筒部
２０  足
１１  マイクロファイバー層
１２  不織布層
１３  中綿層
１４  発泡樹脂層
１５  アルミニウム層
１６  スポンジ層
１７  ＥＶＡ樹脂製クッション層
１８  滑り止め層
【図１】
0003188200.tif 000003
【図２】
0003188200.tif 000004
【図３】
0003188200.tif 000005